(57)【要約】【課題】利用者制限モードにおいて、利用者に対して利用できる機能を明確化することが可能なデジタル複合機を提供する。【解決手段】少なくともコピー機能を有し、課金装置、カード、コードの設定により利用者が利用できる機器の機能を制限する利用者制限モードを有するデジタル複合機において、キー入力部３１からの専用のキー入力により利用可能な資源と利用できない資源を表示部３２に表示する制御を行うシステム制御部１を備えた。【選択図】　　　　図１
2004048604.tif 000002
【特許請求の範囲】
【請求項１】
少なくともコピー機能を有し、課金装置、カード、コードの設定により利用者が利用できる機器の機能を制限する利用者制限モードを有するデジタル複合機において、キー入力部からの専用のキー入力により利用可能な資源と利用できない資源を表示部に表示する制御を行うシステム制御部を備えたことを特徴とするデジタル複合機。
【請求項２】
請求項１記載のデジタル複合機において、システム制御部は、設定された利用者制限モードでは許可されていない資源を選択またはアクセスした場合、表示部に警告表示を行い、利用者が選択またはアクセスできないように抑制を行うことを特徴とするデジタル複合機。
【発明の詳細な説明】
【０００１】
【発明の属する技術分野】
本発明は、少なくともコピー機能を有し、課金装置、カード、コードの設定により利用者が利用できる機器の機能を制限する利用者制限モードを有するデジタル複合機に関する。
【０００２】
【従来の技術】
デジタル複合機においては、機器の利用可能機能を制限する目的で、課金装置、キーカード、カード、パスワード等を設定することにより、利用者（ユーザ）ごとにデジタル複合機の利用可能機能に制約を設ける利用者制限モードを有している。近年、デジタル複合機の機能が多様化するに比例して制限機能の設定が複雑化している。
【０００３】
例えば、カラー機能を有するデジタル複合機においては、コピーやプリンタの機能毎に、カラー印刷を利用できたり、モノクロ印刷しかできなかったり。両面機能をもつデジタル複合機においては、両面のみしか利用できないユーザ設定があったり等、今後も機能の追加に比例して複雑化されていくと考えられる。
【０００４】
なお、利用者制限モードに関連して、特開平１０−２５７２１１号公報、特開平３−１７６５０号公報、特開平２−２９０３５１号公報、特開平８−０８３２３１号公報、特開平８−０７９４３３号公報等に記載された技術がある。
【０００５】
【発明が解決しようとする課題】
しかし、ユーザ側からみると、制限項目（制限機能）は液晶パネルを通して利用できないキーにマスクが掛かったり、「選択すると利用できない」等のポップアップメニューがでる程度のもので、何が利用できて、何が利用できないかを把握するのが難しい。
【０００６】
本発明は、利用者制限モードにおいて、利用者に対して利用できる機能を明確化することが可能なデジタル複合機を提供することを目的とする。
【０００７】
【課題を解決するための手段】
上記目的を達成するために、請求項１記載の発明は、少なくともコピー機能を有し、課金装置、カード、コードの設定により利用者が利用できる機器の機能を制限する利用者制限モードを有するデジタル複合機において、キー入力部からの専用のキー入力により利用可能な資源と利用できない資源を表示部に表示する制御を行うシステム制御部を備えたデジタル複合機を最も主要な特徴とする。
【０００８】
請求項２記載の発明は、請求項１記載のデジタル複合機において、システム制御部は、設定された利用者制限モードでは許可されていない資源を選択またはアクセスした場合、表示部に警告表示を行い、利用者が選択またはアクセスできないように抑制を行うデジタル複合機を主要な特徴とする。
【０００９】
【発明の実施の形態】
以下、図面により本発明の実施の形態を詳細に説明する。図１はこの発明の実施形態に係るデジタル複合機のハード構成を示すブロック図である。同図においてデジタル複合機は、システム制御部１に対して、回線制御部２、操作制御部３、画像読取制御部４、プリント制御部５、ネットワーク制御部６、メモリ制御部７、原稿給送制御部（ＤＦ制御部）８を接続して構成される。
【００１０】
回線制御部２は、網制御部（ＮＣＵ）２１、モデム２２、バッファメモリ２３及び画像データ圧縮伸張部２４を備えファックス機能のデータの送受信を行う。操作制御部３には、デジタル複合機のユーザからのキー入力を制御するキー入力部３１と、ユーザに機器の操作手順や機器の状態を表示する表示部３２が取り付けられている。表示部３２は液晶ＬＣＤ等で構成され、文書データを表示可能である。
【００１１】
画像読取制御部４は、ファクシミリ送信、ファイル入力、コピー画面の取り込みを行い、光学ユニットとしてのＣＣＤ部４１と、読取部の動作を制御するスキャナ制御部４２から構成される。この読取は、原稿給送制御部８によって制御される原稿給送装置（ＤＦ）８１によって自動的に制御される原稿に対して行われる。
【００１２】
プリント制御部５は、レーザユニットのＬＤ変調部５１、転写紙搬送を行う給紙制御部５２及び印字制御のタイミング制御を行うシーケンス制御部５３から構成される。また、メモリ制御部７は読み込んだ画像データ及び受信したデータをメモリ７１に蓄積し保持する。
【００１３】
ネットワーク制御部６は、ＬＡＮに接続しデータの送受信を行う部分で、プリンタ用のデータ受信、原稿から読み取ったデータをサーバに送るために使用する。この部分はハードウエアとしてＬＡＮに接続するネットワークドライバ６１と、送受信データを解析するプロトコル部６２で構成される。
【００１４】
課金装置９は、コピーやプリントやスキャンニング等の行為に対して、対価を徴収する装置であり、金額によって処理できる機能の認証を行う。例えば、１０円ならば白黒コピー、５０円ならば白黒コピー５枚かカラーコピー１枚といった設定である。また、操作制御部３からユーザコードを設定し、そのコードによって、利用できる機能を制限する等の制御を行う。これらの利用者制限や認証の判定を行う元になるユーザ毎の設定を利用者制限モードと呼ぶ。
【００１５】
図２はこの発明の実施形態に係るデジタル複合機のソフト構成を示すブロック図である。これらの利用可能な各資源（リソース）からなる資源群１００は、資源調達部１２０を介して、コピー１１１、ファイリング１１２、ファクシミリ１１３及びプリンタ１１４の各アプリケーションからなるアプリケーション群１１０と物理的に接続している。このような構成より、複数のアプリケーションソフトによって各ユニットを一資源とみなし、資源調達部１２０で排他制御管理を行って複数の機能を設定する。
【００１６】
利用者制限、認証の機能は、個々のアプリケーションソフトにより、各資源に対して、設定された利用者制限モードがどの資源の利用を許可するかをソフト的に判定することにより実行される。設定された利用者制限モードでは許可されていない資源を選択またはアクセスした場合、表示部３２に警告表示を行い、利用者が選択またはアクセスできないように抑制を行う。
【００１７】
図３は本発明のデジタル複合機の制御フローチャートである。このフローチャート上の利用者メニューは、現状の利用者制限モードにて使用可能な資源（モード）や、使用できない資源（モード）を表としたメニューである。デジタル複合機が通常表示の状態で、キー入力部３１より利用者キーを押下する（Ｓ１）。次に利用者メニューが表示部３２に表示されているか判断し（Ｓ２）、表示中ならばメニューを消去する（Ｓ６）。非表示中ならば、各アプリケーションソフトから現状の利用者モードで利用可能な資源（モード）と、使用できない資源（モード）を取り出し、利用者メニューとして構成する（Ｓ３、Ｓ４）。そしてこれを利用者メニューとして表示する（Ｓ５）。
【００１８】
また、各アプリケーションソフトから取り出した現状の利用者モードで利用可能な資源（モード）と、使用できない資源（モード）を、ＨＴＭＬ等のＷＥＢ表示言語で構成し、外部のパソコン等からの要求に応じて送信することにより、同等の利用者メニューをパソコン上に表示することができる。
【００１９】
即ち、ネットワークに接続され、大きな液晶パネルを持たないデジタル複合機であっても、また、プリンタ等の遠隔利用が多いユーザであっても、利用者制限メニューを、パソコン等のＷＥＢ上で表示することにより、ユーザが利用できる機能と利用できない機能のメニュー画面を表示し利用者に対して利用できる機能を明確化することができる。
【００２０】
【発明の効果】
以上説明したように、請求項１のデジタル複合機においては、ユーザのキー要求に応じて、必要な利用者メニューを表示することができる。
【００２１】
請求項２のデジタル複合機においては、ユーザは許可されていない資源を目視で容易に確認することができる。
【図面の簡単な説明】
【図１】この発明の実施形態に係るデジタル複合機のハード構成を示すブロック図である。
【図２】この発明の実施形態に係るデジタル複合機のソフト構成を示すブロック図である。
【図３】本発明のデジタル複合機の制御フローチャートである。
【符号の説明】
１　システム制御部
３　操作制御部
３１　キー入力部
３２　表示部
９　課金装置
１００　資源群
１１０　アプリケーション群
【図１】
2004048604.tif 000003
【図２】
2004048604.tif 000004
【図３】
2004048604.tif 000005